(57)【要約】【課題】  視認可能な個別データと透過光でしか視認できない秘匿データを備えたセキュリティ媒体のデータマッチング確認や個別データの認証を、大量且つ安定的に実施することの可能なセキュリティ媒体検査方法及び装置を提供する。【解決手段】  セキュリティ媒体１の個別データと秘匿データを形成した検査領域１３を反射光を用いて読み取って反射画像を作成し、その検査領域１３を透過光を用いて読み取って透過画像を作成し、得られた前記反射画像と透過画像から個別データと秘匿データを抽出し、それを比較してセキュリティ媒体の良否判断を行う構成とする。【選択図】図２
2005266852.tif 000002
【特許請求の範囲】
【請求項１】
反射光で視認可能な形態の個別データと、反射光では視認不能であるが透過光では視認可能な形態の、且つ前記個別データのうち少なくとも一部のデータと同一か関連する内容の秘匿データを互いに重ならない領域に設けた構成のセキュリティ媒体を検査する方法であって、少なくとも前記個別データを設けた領域を反射光を利用して読み取り、反射画像を得る工程と、少なくとも前記秘匿データを設けた領域を透過光を利用して読み取り、透過画像を得る工程と、得られた前記反射画像と透過画像から個別データと秘匿データを抽出し、それを比較してセキュリティ媒体の良否判断を行う工程を有することを特徴とするセキュリティ媒体検査方法。
【請求項２】
反射光で視認可能な形態の個別データと、反射光では視認不能であるが透過光では視認可能な形態の、且つ前記個別データのうち少なくとも一部のデータと同一か関連する内容の秘匿データを互いに重ならない領域に設けた構成のセキュリティ媒体を検査する方法であって、前記個別データと秘匿データを設けた領域を反射光を利用して読み取り、反射画像を得る工程と、前記個別データと秘匿データを設けた領域を透過光を利用して読み取り、透過画像を得る工程と、得られた前記反射画像と透過画像から個別データと秘匿データを抽出し、それを比較してセキュリティ媒体の良否判断を行う工程を有することを特徴とするセキュリティ媒体検査方法。
【請求項３】
反射画像として、前記秘匿データを設けた領域を含む領域を読み取り、得られた反射画像から、前記秘匿データを設けた領域の画像を抽出し、それをあらかじめ設定している基準データと比較し、改ざんの有無を判断する工程を有することを特徴とする請求項１又は２記載のセキュリティ媒体検査方法。
【請求項４】
反射光で視認可能な形態の個別データと、反射光では視認不能であるが透過光では視認可能な形態の、且つ前記個別データのうち少なくとも一部のデータと同一か関連する内容の秘匿データを互いに重ならない領域に設けた構成のセキュリティ媒体を検査する装置であって、少なくとも前記個別データを設けた領域を反射光を利用して読み取り、反射画像を得る反射画像読取手段と、少なくとも前記秘匿データを設けた領域を透過光を利用して読み取り、透過画像を得る透過画像読取手段と、得られた前記反射画像と透過画像から個別データと秘匿データを抽出し、それを比較してセキュリティ媒体の良否判断を行う検査手段を有することを特徴とするセキュリティ媒体検査装置。
【請求項５】
反射光で視認可能な形態の個別データと、反射光では視認不能であるが透過光では視認可能な形態の、且つ前記個別データのうち少なくとも一部のデータと同一か関連する内容の秘匿データを互いに重ならない領域に設けた構成のセキュリティ媒体を検査する方法であって、前記個別データと秘匿データを設けた領域を反射光を利用して読み取り、反射画像を得る反射画像読取手段と、前記個別データと秘匿データを設けた領域を透過光を利用して読み取り、透過画像を得る透過画像読取手段と、得られた前記反射画像と透過画像から個別データと秘匿データを抽出し、それを比較してセキュリティ媒体の良否判断を行う検査手段を有することを特徴とするセキュリティ媒体検査装置。
【請求項６】
前記検査手段が、前記反射画像読取手段によって読み取った前記秘匿データを設けた領域を含む領域の反射画像から、前記秘匿データを設けた領域の画像を抽出し、それをあらかじめ設定している基準データと比較し、改ざんの有無を判断する機能を有することを特徴とする請求項４又は５記載のセキュリティ媒体検査装置。
【発明の詳細な説明】
【技術分野】
【０００１】
本発明は、反射光で視認可能な形態の個別データと、反射光では視認不能であるが透過光では視認可能な形態の、且つ前記個別データのうち少なくとも一部のデータと同一か関連する内容の秘匿データを互いに重ならない領域に設けた構成のセキュリティ媒体を検査する方法及び装置に関する。
【背景技術】
【０００２】
現在、ＮＩＰ用（フォーム用）上質紙にデータを印字或いは印刷して使用した場合に、このデータそのものの正確さは、元のデータにまで遡って確認しなければならず、現実的には、印字或いは印刷されたデータそのものをその場でチェックすることは困難であり、データが巧妙に改ざんされた場合、それを見破ることはきわめて困難である。そこで、本出願人はこのような改ざんを防止しうるセキュリティ媒体として、基材の表出する面に視認可能な形態で個別データを設け、該個別データを設けた領域とは別の領域で且つ前記基材の表出しない内部に、前記個別データのうち少なくとも一部のデータと同一か関連する内部データを反射光では視認不能であるが透過光では視認可能な形態で設けた構成のセキュリティ媒体を開発した。このセキュリティ媒体は、表面に形成されている個別データを巧妙に改ざんしたとしても、この個別データを、通常は見えないが透過光により見ることができる内部データ（以下、秘匿データという）と比較することにより改ざんの有無を判定でき、このため個別データの正確さを秘匿データによって認証できるという顕著な効果を有している。
【０００３】
ところで、この種のセキュリティ媒体を作製した場合、表面から視認可能な個別データと視認不能な秘匿データがマッチングしていることが必要であり、このため作製工程において、このマッチングを確認するための検査を行う必要がある。また、セキュリティ媒体を受け取った側においては、表面の個別データが真正なものか否かを秘匿データを用いて認証する必要もある。これらの検査や認証作業は、作業者或いは取扱者が秘匿データを透かして見るという手作業で行うことはできるが、作業性が悪く、このため、自動化することが望ましい。一般に複数枚にわたる印字データの確認は、バーコードやＯＣＲ文字のような記号を印字データ面の１部に設け、読み取り機でマッチング確認を行っている。しかしながら上記したセキュリティ媒体では、秘匿データが見えないため、従来の読み取り機を用いることはできない。
【０００４】
なお、従来より、紙幣等の真贋を識別する装置として、紙幣のすかしのパターンを透過光及び反射光を用いて読み取り、双方の読み取りデータを比較して真贋を識別する装置が知られている（例えば、特許文献１参照）。しかしながら、この装置は単に紙幣等の真贋を判定するものであって、データのマッチング確認を行うものではない。
【特許文献１】特開平６−２０３２４４号公報
【発明の開示】
【発明が解決しようとする課題】
【０００５】
本発明は、上記したような視認可能な個別データと視認不能な秘匿データを備えたセキュリティ媒体のデータマッチング確認や個別データの認証を、大量且つ安定的に実施することの可能なセキュリティ媒体検査方法及び装置を提供することを課題とする。
【課題を解決するための手段】
【０００６】
上記課題を解決すべくなされた本願請求項１に係る発明は、反射光で視認可能な形態の個別データと、反射光では視認不能であるが透過光では視認可能な形態の、且つ前記個別データのうち少なくとも一部のデータと同一か関連する内容の秘匿データを互いに重ならない領域に設けた構成のセキュリティ媒体を検査する方法であって、少なくとも前記個別データを設けた領域を反射光を利用して読み取り、反射画像を得る工程と、少なくとも前記秘匿データを設けた領域を透過光を利用して読み取り、透過画像を得る工程と、得られた前記反射画像と透過画像から個別データと秘匿データを抽出し、それを比較してセキュリティ媒体の良否判断を行う工程を有することを特徴とするものである。
【０００７】
請求項２に係る発明は、反射光で視認可能な形態の個別データと、反射光では視認不能であるが透過光では視認可能な形態の、且つ前記個別データのうち少なくとも一部のデータと同一か関連する内容の秘匿データを互いに重ならない領域に設けた構成のセキュリティ媒体を検査する方法であって、前記個別データと秘匿データを設けた領域を反射光を利用して読み取り、反射画像を得る工程と、前記個別データと秘匿データを設けた領域を透過光を利用して読み取り、透過画像を得る工程と、得られた前記反射画像と透過画像から個別データと秘匿データを抽出し、それを比較してセキュリティ媒体の良否判断を行う工程を有することを特徴とするものである。
【０００８】
請求項３に係る発明は、上記した請求項１又は２に係る発明において、反射画像として、前記秘匿データを設けた領域を含む領域を読み取り、得られた反射画像から、前記秘匿データを設けた領域の画像を抽出し、それをあらかじめ設定している基準データと比較し、改ざんの有無を判断する工程を有する構成としたものである。
【０００９】
請求項４に係る発明は、反射光で視認可能な形態の個別データと、反射光では視認不能であるが透過光では視認可能な形態の、且つ前記個別データのうち少なくとも一部のデータと同一か関連する内容の秘匿データを互いに重ならない領域に設けた構成のセキュリティ媒体を検査する装置であって、少なくとも前記個別データを設けた領域を反射光を利用して読み取り、反射画像を得る反射画像読取手段と、少なくとも前記秘匿データを設けた領域を透過光を利用して読み取り、透過画像を得る透過画像読取手段と、得られた前記反射画像と透過画像から個別データと秘匿データを抽出し、それを比較してセキュリティ媒体の良否判断を行う検査手段を有することを特徴とするものである。
【００１０】
請求項５に係る発明は、反射光で視認可能な形態の個別データと、反射光では視認不能であるが透過光では視認可能な形態の、且つ前記個別データのうち少なくとも一部のデータと同一か関連する内容の秘匿データを互いに重ならない領域に設けた構成のセキュリティ媒体を検査する方法であって、前記個別データと秘匿データを設けた領域を反射光を利用して読み取り、反射画像を得る反射画像読取手段と、前記個別データと秘匿データを設けた領域を透過光を利用して読み取り、透過画像を得る透過画像読取手段と、得られた前記反射画像と透過画像から個別データと秘匿データを抽出し、それを比較してセキュリティ媒体の良否判断を行う検査手段を有することを特徴とするものである。
【００１１】
請求項６に係る発明は、上記した請求項４又は５に係る発明において、前記検査手段が、前記反射画像読取手段によって読み取った前記秘匿データを設けた領域を含む領域の反射画像から、前記秘匿データを設けた領域の画像を抽出し、それをあらかじめ設定している基準データと比較し、改ざんの有無を判断する機能を有する構成としたものである。
【発明の効果】
【００１２】
本願請求項１〜６に係る発明によれば、セキュリティ媒体に設けている個別データと秘匿データを抽出して比較し、セキュリティ媒体の良否を判断することができ、これをセキュリティ媒体の作製工程で使用することで、作製されたセキュリティ媒体のデータのマッチング確認を行うことができ、また、これを使用されたセキュリティ媒体の検査に用いることで、視認可能な個別データが真正なものであるか否かの認証を行うことができ、大量に且つ安定的にセキュリティ媒体のデータマッチング確認や個別データの認証を行うことができる。
【００１３】
更に、請求項２及び５に係る発明では、読み取った反射画像及び透過画像が個別データ及び秘匿データを設けた領域を含んでいるので、両者を比較することで、秘匿データを正確に抽出することができ、例え、秘匿データを設けた領域の表面に印字等を行って秘匿データを改ざんしようとしても、確実にそれを見破ることができ、セキュリティ媒体の良否判断を一層正確に行うことができる。
【００１４】
更に、請求項３及び６に係る発明では、秘匿データを設けた領域の表面の画像を読み取ってそれをあらかじめ設定している基準データと比較する構成としているので、秘匿データの上に印字等を行って改ざんを加えたり、秘匿データの上の基材を除去して改ざんを加えたりしていた場合には、得られた画像が基準データと異なることから改ざんを確実に検出でき、セキュリティ媒体の良否判断を一層正確に行うことができる。
【発明を実施するための最良の形態】
【００１５】
まず、図１を参照して、本発明のセキュリティ媒体検査方法及び装置によって検査する対象のセキュリティ媒体の１例を説明する。図１（ａ）はセキュリティ媒体１を形成する２枚の基材２、３を分離した状態で示す概略平面図、図１（ｂ）はセキュリティ媒体１の概略平面図である。図１に示すセキュリティ媒体１は請求書を例にしたものであり、第１の基材２と第２の基材３を備えている。第１の基材２は、表出する面（第１の基材２の表面）に個別データａが印字された用紙である。第２の基材３は、第１の基材２と貼り合わされ、個別データａのうち少なくとも一部のデータと同一か又は関連性を有する内部データ即ち秘匿データｂが、表出しない内部（第２の基材３の表面）に且つ個別データａとは重ならない領域に印字された用紙である。
【００１６】
第１の基材２及び第２の基材３には、フォーム用上質紙、上質紙、中質紙等の透過性の低い紙、又は、ＰＥＴ、ＰＰ、ＰＶＣ等の乳白色の透過性の低い合成紙を用いることができる。個別データａは、例えば、氏名、会員番号、住所、電話番号、発行番号、金銭、日時に代表される本人又は伝票自体、伝票発行業務を特定するための識別に関連するデータであり、秘匿データｂは、その個別データａと同一か又は関連するデータである。なお、秘匿データｂとして、図面では内容を認識可能な文字を示しているが、これに限らず、バーコード、暗号などの見ただけでは内容を認識できないが、読み取って画像処理するなどして内容を認識できるものを用いてもよい。
【００１７】
セキュリティ媒体１は、第１の基材２と第２の基材３を秘匿データｂを形成した面を内側にして一体に貼り合わせることにより、作製されている。従って、セキュリティ媒体１は、基材の表出する面に視認可能な形態の個別データａを有し、該個別データａを設けた領域とは別の領域に、反射光では視認不能であるが透過光では視認可能な形態の秘匿データｂを有する構成となっており、このため、図１（ｂ）において、二点鎖線５で囲った領域を単に見た場合には（反射画像では）、個別データａしか見えないが、その領域を透過光で見た場合には（透過画像では）、個別データａと秘匿データｂの双方を見ることができる。
【００１８】
上記構成のセキュリティ媒体１は、第１の基材２を多数つらねた形態の長尺の用紙に所定の個別データａを印字し、同様に第２の基材３を多数つらねた形態の長尺の用紙に所定の秘匿データｂを印字し、両用紙を貼り合わせた後、所定位置を切断して切り離すことで作製される。この作製工程において、貼り合わせた第１の基材２の個別データａと第２の基材３の秘匿データｂがマッチングしていることを確認しておくことが必要である。図２はこのデータマッチングの確認に本発明を適用した実施形態に係るセキュリティ媒体検査装置１０を示す概略構成図である。図２において、１Ａは検査対象であるセキュリティ媒体帯であり、多数のセキュリティ媒体１をつなぎあわせた形態（個々のセキュリティ媒体１に切り離す前の形態）となっている。セキュリティ媒体帯１Ａは、走行手段（図示せず）によって所定の検査経路に沿って走行させられるようになっている。
【００１９】
１１は検査経路を通過する各セキュリティ媒体１を表面側から照射する光源、１２はそのセキュリティ媒体１の所望の検査領域を１３を反射光を利用して読み取り、反射画像を得るＣＣＤカメラなどの反射画像読取手段、１５は検査経路を通過する各セキュリティ媒体１を裏面側から照射する光源、１６はそのセキュリティ媒体１の所望の検査領域１３を透過光を利用して読み取り、透過画像を得るＣＣＤカメラなどの透過画像読取手段、１７は、反射画像読取手段１２と透過画像読取手段１６で得た反射画像と透過画像を入力し、画像処理して個別データ及び秘匿データを抽出し、それを比較してセキュリティ媒体１の良否判断を行う検査手段である。
【００２０】
次に、上記構成のセキュリティ媒体検査装置１０による検査動作を説明する。セキュリティ媒体帯１Ａが所定の検査経路を走行し、その際に各セキュリティ媒体１の検査領域１３の反射画像が反射画像読取手段１２によって読み取られ、検査領域１３の透過画像が透過画像読取手段１６によって読み取られる。ここで、図１に示すセキュリティ媒体１について検査する場合、画像読取を行う検査領域１３は、個別データａ及び秘匿データｂを設けている領域とする。このため、図３（ａ）に示すように、検査領域１３を目視した状態では、個別データａのみが視認可能であり、秘匿データは視認できない。図３（ｂ）は、この検査領域１３を反射画像読取手段１２によって反射光を用いて読み取った反射画像１３ａ及び透過画像読取手段１６によって透過光を用いて読み取った透過画像１３ｂを示すものである。検査領域１３の内容が真正なものであれば、図示したように、反射画像１３ａでは個別データａのみが現れており、透過画像１３ｂでは個別データａと秘匿データｂの両方が現れており、更に、その個別データａと秘匿データｂは同一か或いは所定の関連を持ったものとなっている。
【００２１】
検査手段１７は、反射画像読取手段１２と透過画像読取手段１６からの信号から、同一のセキュリティ媒体１の検査領域１３に関する反射画像１３ａと透過画像１３ｂを入力し、それを画像処理し、反射画像１３ａ及び透過画像１３ｂを比較し共通な画像から個別データａを抽出し、且つ反射画像１３ａ及び透過画像１３ｂを比較し共通な画像を除去した残りの画像から秘匿データｂを抽出し、得られた個別データａと秘匿データｂを比較してデータのマッチング確認を行う。すなわち、検出した個別データａ及び秘匿データｂが一致するか或いは所定の関連を持っていた場合にはセキュリティ媒体１が正常であると判断し、異なっていたり関連が無い場合及び個別データａや秘匿データｂを抽出できなかった場合にはセキュリティ媒体１に異常がある（例えば、基材２と基材３の組み合わせが間違っている）と判断する。かくして、この検査装置１０により、セキュリティ媒体帯１Ａの各セキュリティ媒体１のデータマッチング確認などの良否判断を敏速に行うことができる。
【００２２】
この検査装置１０はセキュリティ媒体の作製ラインに組み込んで使用することもできるし、検査のみを行う装置として使用することもできる。
【００２３】
なお、この実施形態では、画像読取を行う検査領域１３を、個別データａ及び秘匿データｂを設けている領域とし、反射画像１３ａ及び透過画像１３ｂを比較して、個別データｂ及び秘匿データｂを抽出しているが、本発明はこの構成に限らず、反射画像を読み取る検査領域を個別データａを設けている領域のみとし、得られた反射画像から個別データａを抽出し、透過画像を読み取る検査領域を秘匿データｂを設けている領域のみとし、得られた透過画像から秘匿データｂを抽出する構成としてもよい。この構成としても、個別データａ及び秘匿データｂを抽出することができ、両者を比較することでデータマッチング確認を行うことができる。ただし、この場合には秘匿データｂを形成している領域に対して改ざん等が行われていた場合にそれを検出できないこともあるが、セキュリティ媒体の作製工程では、改ざんの恐れはほとんどないため、特に支障はない。
【００２４】
次に、図４を参照して枚葉のセキュリティ媒体について検査を行うセキュリティ媒体検査装置２０を説明する。この検査装置２０は、枚葉のセキュリティ媒体１を所定の検査経路に沿って走行させるためのローラ２１、２２等を備えた走行手段と、検査経路を通過するセキュリティ媒体１を表面側から照射する光源１１と、そのセキュリティ媒体１の検査領域を１３を反射光を利用して読み取り、反射画像を得るＣＣＤカメラなどの反射画像読取手段１２と、検査経路を通過する各セキュリティ媒体１を裏面側から照射する光源１５と、そのセキュリティ媒体１の所望の検査領域を透過光を利用して読み取り、透過画像を得るＣＣＤカメラなどの透過画像読取手段１６と、反射画像読取手段１２と透過画像読取手段１６で得た反射画像と透過画像を入力し、画像処理して個別データ及び秘匿データを抽出し、それを比較してセキュリティ媒体１の良否判断を行う検査手段１７等を備えている。なお、走行手段は枚葉のセキュリティ媒体１を走行させ得るものであればローラ２１、２２等を用いたものに限らず、適宜変更可能である。走行手段を除いた他の構成は、図２に示す検査装置１０と同様である。
【００２５】
図５に示す検査装置２０は主に、セキュリティ媒体１を受け取った側で、そのセキュリティ媒体１の個別データａが真正なものであるか否かの認証に使用される。この検査装置２０においても、セキュリティ媒体１が走行手段によって所定の検査経路に沿って走行させられ、その際に、セキュリティ媒体１の検査領域１３の反射画像が反射画像読取手段１２によって読み取られ、検査領域１３の透過画像が透過画像読取手段１６によって読み取られる。この場合においても、画像読取を行う検査領域１３は、個別データａ及び秘匿データｂを設けている領域としており、検査領域１３の内容が真正なものであれば、図３（ｂ）に示すように、反射画像１３ａでは個別データａのみが現れており、透過画像１３ｂでは個別データａと秘匿データｂの両方が現れており、更に、その個別データａと秘匿データｂは同一か或いは所定の関連を持ったものとなっている。
【００２６】
そして検査手段１７は、反射画像読取手段１２と透過画像読取手段１６からの信号から、同一のセキュリティ媒体１の検査領域１３に関する反射画像１３ａと透過画像１３ｂを入力し、それを画像処理し、反射画像１３ａ及び透過画像１３ｂを比較し共通な画像から個別データａを抽出し、且つ反射画像１３ａ及び透過画像１３ｂを比較し共通な画像を除去した後の画像から秘匿データｂを抽出し、得られた個別データａと秘匿データｂを比較してセキュリティ媒体１の良否判断を行う。すなわち、抽出した個別データａ及び秘匿データｂが一致するか或いは所定の関連を持っていた場合にはセキュリティ媒体１が正常であると判断し、個別データａの認証を行う。一方、個別データａ及び秘匿データｂが異なっていたり、所定の関連を持っていなかった場合にはセキュリティ媒体１に異常がある（例えば、個別データａに改ざんが行われている）と判断する。
【００２７】
また、セキュリティ媒体１の秘匿データｂを形成した領域の表面にデータを書き込むとか、その領域の基材２の一部を剥がして秘匿データｂを露出させ、秘匿データを書き直すなどの改ざんが行われていた場合には、図５に示すように、検査領域１３を反射光を用いて読み取った反射画像１３ａ内に、個別データａの他にデータｂ′が現れており、このため、この反射画像１３ａと透過画像１３ｂから秘匿データｂを抽出することができない。この場合にも、検査手段１７はセキュリティ媒体１に異常がある（改ざんが行われている）と判断する。更に、検査したセキュリティ媒体１が偽造されたものであった場合、秘匿データｂを備えていないため、秘匿データｂを抽出することができない。この場合にも、検査手段１７はセキュリティ媒体１に異常があると判断する。以上のようにして、検査装置２０は、それに供給されるセキュリティ媒体１に設けられている個別データａが真正なものであるか否かや、改ざんや偽造されたものでないかを敏速に判断することができる。
【００２８】
上記した実施形態では、抽出した個別データａ及び秘匿データｂを比較してセキュリティ媒体１が正常であるか否かを判断しているが、これに加えて、絵柄、模様等の画像をセキュリティ媒体１に付加し、その画像を利用して秘匿データ形成領域における改ざんの有無を検査するように構成することも可能である。
【００２９】
その場合には、図６（ａ）に示すように、セキュリティ媒体の、秘匿データ形成領域の表面に視認可能な所定の絵柄、模様等の画像ｃを形成しておく。そして、検査に当たっては、図２、図４の実施形態と同様に、検査領域１３の反射画像１３ａと透過画像１３ｂを作成し、検査手段１７で反射画像１３ａと透過画像１３ｂから個別データａと秘匿データｂを抽出し、両者を比較してセキュリティ媒体の良否を判断するが、更に、検査手段１７で、反射画像１３ａから画像ｃを抽出し、それを、あらかじめ画像ｃと同じ画像を読み取って記憶させている基準データと比較し、同一か否かを判断する。すなわち、反射画像１３ａから抽出した画像ｃが基準データと同一であれば、改ざんが行われておらず、異なれば改ざんが行われていると判断する。このように画像ｃを利用した検査を行うことで、セキュリティ媒体の良否判断を一層正確に行うことができる。
【００３０】
以上の実施形態では、図１に示す２枚の基材２、３で形成されたセキュリティ媒体１について検査する場合を説明したが、本発明で検査の対象とするセキュリティ媒体１はこの構造に限らず、反射光で視認可能な形態の個別データと、反射光では視認不能であるが透過光では視認可能な形態の、且つ前記個別データのうち少なくとも一部のデータと同一か関連する内容の秘匿データを互いに重ならない領域に設けた構成のものであれば任意である。
【００３１】
図７は図１とは異なる構成のセキュリティ媒体３０を示すものである。このセキュリティ媒体３０は、３層の積層された上質紙３１ａ、３１ｂ、３１ｃからなる基材３１の中に、幅３〜４ｍｍ程度の帯状の薄膜からなる変化層３２を埋め込んだ構造のものであり、この変化層３２はレーザ照射等による熱によって光の透過率が変化する特性を持っている。このセキュリティ媒体３０は、表面に適当な個別データａを印字又は印刷しておき、変化層３２にレーザ照射或いは感熱ヘッドにより、前記個別データａと同一若しくは関連した秘匿データを記録して使用される。変化層３２は基材３１内に埋設されているため、変化層３２に書き込んだ秘匿データは、セキュリティ媒体３０の表面からは見えないが、透過光により視認可能である。
【００３２】
このセキュリティ媒体３０の検査に当たっても、個別データａと秘匿データｂを設けている検査領域３３について、図８に示すように、反射画像３３ａと透過画像３３ｂを求め、それらから個別データａと秘匿データｂを抽出し、両者を比較してセキュリティ媒体３０の良否判断を行うことができる。また、本発明で検査の対象とするセキュリティ媒体は、１枚の基材の表面に個別データを印字或いは印刷し、その基材にすかし印刷用インクを用いて秘匿データを記録した構造のものでもよい。
【図面の簡単な説明】
【００３３】
【図１】（ａ）はセキュリティ媒体１を形成する２枚の基材２、３を分離した状態で示す概略平面図、（ｂ）はセキュリティ媒体１の概略平面図
【図２】本発明の実施形態に係るセキュリティ媒体検査装置の概略構成図
【図３】（ａ）はセキュリティ媒体の検査領域の概略平面図、（ｂ）はその検査領域の反射画像及び透過画像
【図４】本発明の他の実施形態に係るセキュリティ媒体検査装置の概略構成図
【図５】改ざんされた検査領域の反射画像及び透過画像
【図６】（ａ）はセキュリティ媒体の検査領域の概略平面図、（ｂ）はその検査領域の反射画像及び透過画像
【図７】（ａ）はセキュリティ媒体の他の例を示す概略平面図、（ｂ）は（ａ）のＡ−Ａ矢視概略断面図
【図８】図７に示すセキュリティ媒体の検査領域の反射画像及び透過画像
【符号の説明】
【００３４】
１、３０  セキュリティ媒体
２  第１の基材
３  第２の基材
１０、２０  セキュリティ媒体検査装置
１１  光源
１２  反射画像読取手段
１３、３３  検査領域
１３ａ、３３ａ  反射画像
１３ｂ、３３ｂ  透過画像
１５  光源
１６  透過画像読取手段
１７  検査手段
２１、２２  ローラ
３１  基材
３２  変化層
ａ  個別データ
ｂ  秘匿データ
ｃ  画像
【図１】
2005266852.tif 000003
【図２】
2005266852.tif 000004
【図３】
2005266852.tif 000005
【図４】
2005266852.tif 000006
【図５】
2005266852.tif 000007
【図６】
2005266852.tif 000008
【図７】
2005266852.tif 000009
【図８】
2005266852.tif 000010